(57)【要約】【課題】電力供給能力が異なる外部電源であっても、その電力供給能力の範囲内で動作可能なミスト発生装置及び美容装置を提供する。【解決手段】放電を行う電極である第１の電極と、接地電極あるいは該第１の電極とは極性が反対の電位に設定される電極である第２の電極とで構成される電極部３１と、放電電極部に液体を供給するペルチェ素子３４とを有する負荷部に対して、外部電源１６から入力される電力を供給し、電極部３１から液体のミストを発生させる美容装置１０であって、外部電源１６の電力供給能力を把握して、その把握した電力供給能力を超えないように、負荷部に供給される電力を制御する制御部ＣＳを備える。【選択図】図７
2012085960.tif 000002
【特許請求の範囲】
【請求項１】
電圧を印加することにより放電を行う放電電極部と、前記放電電極部に液体を供給する液体供給部とを有する負荷部に対して、外部電源から入力される電力を供給し、前記放電電極部から前記液体のミストを発生させるミスト発生装置であって、
前記外部電源の電力供給能力を把握して、その把握した電力供給能力を超えないように、前記負荷部に供給される電力を制御する電力制御部を備える
ことを特徴とするミスト発生装置。
【請求項２】
前記外部電源によって蓄電される蓄電部を介して前記負荷部に電力が供給される
請求項１に記載のミスト発生装置。
【請求項３】
前記蓄電部は、
互いに異なる電力で蓄電されるように構成されており、相対的に小さい電力で蓄電が開始される
請求項２に記載のミスト発生装置。
【請求項４】
前記電力制御部は、
前記放電電極部と前記液体供給部とを互いに異なるタイミングで始動させる
請求項１〜３のいずれか一項に記載のミスト発生装置。
【請求項５】
前記負荷部は、
空気導入部と空気導出部とを有する空気流路に空気流を生成し、前記ミストを前記空気導出部から吹き出す送風部をさらに有し、
前記電力制御部は、
前記放電電極部、前記液体供給部、前記送風部を互いに異なるタイミングで始動させる請求項４に記載のミスト発生装置。
【請求項６】
前記負荷部における異常を検知する検知部と、
前記異常を報知する報知部と
を備え、
前記電力制御部は、
前記検知部から異常を示す信号が入力されると前記報知部を駆動する
請求項１〜５のいずれか一項に記載のミスト発生装置。
【請求項７】
前記外部電源への電流の逆流を防止する逆流防止回路を備える
請求項１〜６のいずれか一項に記載のミスト発生装置。
【請求項８】
前記負荷部への電力供給を遮断する電力供給遮断回路を備える
請求項１〜７のいずれか一項に記載のミスト発生装置。
【請求項９】
電圧を印加することにより放電を行う放電電極部と、前記放電電極部に液体を供給する液体供給部とを有する負荷部に対して、外部電源から入力される電力を供給することによって、前記放電電極部から前記液体のミストを発生させるミスト発生装置を備えた美容装置であって、
該ミスト発生装置が、請求項１〜８のいずれか一項に記載のミスト発生装置である
ことを特徴とする美容装置。
【発明の詳細な説明】
【技術分野】
【０００１】
本発明は、外部電源から入力される電力を用いて放電電極部に電圧が印加されることにより、該放電電極部に供給される液体のミストを発生させるミスト発生装置及び美容装置に関する。
【背景技術】
【０００２】
従来から、ミストドライヤー等のミスト発生装置（美容装置）では、放電によって生成されたナノサイズのミストが、送風部の送り出す空気に乗って放出されている。こうしたミスト発生装置には、放電を行う第１の電極と、該第１の電極と電気的に対となる第２の電極とからなる放電電極部と、第１の電極を冷却して該第１の電極の表面に空気中の水分を結露させる液体供給部とが備えられている。そして、第１の電極と第２の電極との間に所定の高電圧が印加されると、第１の電極の表面に結露した水が放電によってレイリー分裂を起こす。続いて、上述のような静電霧化によって生成されたミストが、第１の電極と第２の電極との間を流れる空気によってミスト発生装置の外側へ運び出される。
【０００３】
こうしたミスト発生装置の中には、例えば特許文献１のように、放電電極部の放電状態を安定させるために、第１の電極に液体を結露させる液体供給部への印加電圧を変更する制御手段を備えているものもある。また、車両用電源から電力供給を受けて動作するものもあり、例えば特許文献２では、蓄電池に蓄電した電力を用いて所定の時刻になると自動的に装置を動作させる制御手段を備えている。
【先行技術文献】
【特許文献】
【０００４】
【特許文献１】特開２００６−２４７４７７号公報
【特許文献２】特開２００８−１０５６１４号公報
【発明の概要】
【発明が解決しようとする課題】
【０００５】
ところで近年では、上述したミスト発生装置の小型化も進んで、持ち運び可能なものも実用化されつつある。それともなってミスト発生装置は、例えばコンピューター等に設けられているＵＳＢ（Ｕｎｉｖｅｒｓａｌ  Ｓｅｒｉａｌ  Ｂｕｓ）ポート等、複数種の外部電源からの電力供給が可能に構成されている。これらの外部電源には、各々に電力供給能力が定められており、その能力を超えた状態でミスト発生装置の運転がなされると、外部電源が正常に動作できなくなる虞がある。特に、外部電源としてコンピューターのＵＳＢポートを用いる場合には、供給電圧が５Ｖ、最大電流が５００ｍＡ（ＵＳＢ２．０仕様）と定められており、電力供給能力が比較的低いため特に注意が必要であった。
【０００６】
本発明は、上記実情を鑑みてなされたものであり、その目的は、電力供給能力が異なる外部電源であっても、その電力供給能力の範囲内で動作可能なミスト発生装置及び美容装置を提供することにある。
【課題を解決するための手段】
【０００７】
上記課題を解決するため、本発明のミスト発生装置は、電圧を印加することにより放電を行う放電電極部と、前記放電電極部に液体を供給する液体供給部とを有する負荷部に対して、外部電源から入力される電力を供給し、前記放電電極部から前記液体のミストを発生させるミスト発生装置であって、前記外部電源の電力供給能力を把握して、その把握した電力供給能力を超えないように、前記負荷部に供給される電力を制御する電力制御部を
備える。
【０００８】
上記構成において、前記外部電源によって蓄電される蓄電部を介して前記負荷部に電力が供給されることが好ましい。
上記構成において、前記蓄電部は、互いに異なる電力で蓄電されるように構成されており、相対的に小さい電力で蓄電が開始されることが好ましい。
【０００９】
上記構成において、前記電力制御部は、前記放電電極部と前記液体供給部とを互いに異なるタイミングで始動させることが好ましい。
上記構成において、前記負荷部は、空気導入部と空気導出部とを有する空気流路に空気流を生成し、前記ミストを前記空気導出部から吹き出す送風部をさらに有し、前記電力制御部は、前記放電電極部、前記液体供給部、前記送風部を互いに異なるタイミングで始動させることが好ましい。
【００１０】
上記構成において、前記負荷部における異常を検知する検知部と、前記異常を報知する報知部とを備え、前記電力制御部は、前記検知部から異常を示す信号が入力されると前記報知部を駆動することが好ましい。
【００１１】
上記構成において、前記外部電源への電流の逆流を防止する逆流防止回路を備えていることが好ましい。
上記構成において、前記負荷部への電力供給を遮断する電力供給遮断回路を備えることが好ましい。
【００１２】
上記課題を解決するため、本発明の美容装置は、電圧を印加することにより放電を行う放電電極部と、前記放電電極部に液体を供給する液体供給部とを有する負荷部に対して、外部電源から入力される電力を供給することによって、前記放電電極部から前記液体のミストを発生させるミスト発生装置を備えた美容装置であって、該ミスト発生装置が、上述したミスト発生装置である。
【発明の効果】
【００１３】
本発明によれば、電力供給能力を超えないように負荷部に供給される電力が制御されることから、電力供給能力が異なる外部電源であったとしても、その電力供給能力の範囲内でミスト発生装置及び美容装置を動作させることができる。
【図面の簡単な説明】
【００１４】
【図１】本発明の一実施形態にかかる美容装置の背面構造を示す背面図。
【図２】美容装置の正面構造を示す正面図。
【図３】美容装置の接続態様の一例を模式的に示す図。
【図４】図１に示した１−１線における美容装置の断面構造を示す断面図。
【図５】美容装置に内蔵されるファン及び流路形成部材を分解して示す分解斜視図。
【図６】美容装置の内部構造の一部を拡大して示す部分拡大図。
【図７】第１実施形態における美容装置の電気的構成を示すブロック図。
【図８】第１実施形態の美容装置における基本的な運転の流れを示すフローチャート。
【図９】第１実施形態の美容装置において、放電電極部と液体供給部とを同時期に始動させたときの電流の推移を示すグラフ。
【図１０】第１実施形態の美容装置において、始動処理の処理手順を示すフローチャート。
【図１１】第１実施形態の美容装置において、始動処理における各負荷部と電流値との関係を示すタイミングチャート。
【図１２】第１実施形態の美容装置において、異常発生処理の処理手順を示すフローチャート。
【図１３】第１実施形態の美容装置において、放電電極部での異常発生前後における各負荷部の駆動態様を示す図。
【図１４】第２実施形態における美容装置の電気的構成を示すブロック図。
【図１５】第２実施形態において、（ａ）蓄電時の蓄電部における電圧の推移の一例を示すグラフ、（ｂ）蓄電時の蓄電部に流れ込む電流の推移の一例を示すグラフ。
【図１６】第２実施形態において、（ａ）蓄電時の蓄電部における電圧の推移の一例を示すグラフ、（ｂ）蓄電時の蓄電部に流れ込む電流の推移の一例を示すグラフ。
【発明を実施するための形態】
【００１５】
（第１実施形態）
以下、本発明のミスト発生装置を居住空間に設置される美容装置に具体化した第１実施形態について説明する。まず、美容装置の全体構成について図１〜図３を参照して説明する。
【００１６】
図１に示されるように、美容装置１０が有する円板状の支持台１１には、楕円体状に形成された筐体１２が取り付けられている。この筐体１２における支持台１１側には、該筐体１２を貫通する複数の矩形孔から構成される空気導入部１２ａが形成されている。一方、図２に示されるように、この筐体１２における支持台１１側とは反対側には、これもまた筐体１２を貫通する１つの円形孔である空気導出部１２ｂが形成されている。そして、筐体１２の内部では、空気導入部１２ａから筐体１２の内部へ空気が吸い込まれると、該空気が空気導出部１２ｂから吹き出されるようになっている。
【００１７】
なお、図３に示されるように、支持台１１に形成されたコネクタ１１ａには、ＵＳＢポートから電源を取り出すための電源ケーブル１４が接続される。そして、電源ケーブル１４のＵＳＢプラグがコンピューター１５に設けられたＵＳＢ電源に接続されると、これら電源ケーブル１４とコンピューター１５とで外部電源１６が構成され、この外部電源１６によって美容装置１０が給電される。また、筐体１２には、美容装置１０の電源をＯＮ／ＯＦＦするための電源スイッチ１７が形成されている。そして、電源スイッチ１７がＯＮ操作されると各駆動部が駆動される。
【００１８】
次に、美容装置１０における内部の構成について図４〜図６を参照して説明する。図４に示されるように、美容装置１０を構成する筐体１２には、送風部としてのファン２０が内蔵されている。ファン２０は、筐体１２の内部における支持台１１側にて空気導入部１２ａと向かい合う位置に配設されている。このファン２０における電源スイッチ１７側には、支持台１１側から電源スイッチ１７側へ延びる矩形筒状の送風ポート２０ａが形成されている。そして、ファン２０を駆動するための駆動信号がファン２０に入力されると、筐体１２における外側の空気がファン２０によって筐体１２の内部へ吸い込まれるとともに、筐体１２の内部に吸い込まれた空気が送風ポート２０ａから電源スイッチ１７側へ送り出される。
【００１９】
ファン２０が有する送風ポート２０ａには、筐体１２に形成された空気導出部１２ｂと該送風ポート２０ａとを連結する空気流路２１が取り付けられている。この空気流路２１は、送風ポート２０ａから支持台１１とは反対側へ延びて空気導出部１２ｂ側へ屈曲するように形成されている。そして、ファン２０の送風ポート２０ａから空気が送り出されると、送り出された空気は空気流路２１を流れた後に空気導出部１２ｂから筐体１２の外へ吹き出される。
【００２０】
図５に示されるように、空気流路２１は、該空気流路２１のうちで空気導出部１２ｂ側
を構成する第一流路部材２２と、該空気流路２１のうちで空気導入部１２ａ側を構成する第二流路部材２３とが嵌合することによって構成されている。
【００２１】
まず、空気流路２１のうち、第一流路部材２２について以下に説明する。第一流路部材２２における空気導出部１２ｂ側には、該空気導出部１２ｂから第二流路部材２３に向けて延びる矩形筒状の空気導出管２２Ｐが形成されている。この空気導出管２２Ｐの両筒端のうち、空気導出部１２ｂ側の筒端には、円形筒状の導出端部Ｐ１が形成されている。そして、導出端部Ｐ１が空気導出部１２ｂに嵌め込まれることによって、第一流路部材２２は筐体１２に固定されている。これに対して、空気導出管２２Ｐの両端部のうち、第二流路部材２３側の筒端には、該第二流路部材２３と連結する矩形筒状の連結端部Ｐ２が形成されている。また、連結端部Ｐ２の縁部には、第二流路部材２３に向けて突出する複数の係止片２２ｃが形成されている。
【００２２】
なお、この空気導出管２２Ｐの電源スイッチ１７側には、制御部ＣＳが配設されている。制御部ＣＳは、電源スイッチ１７から出力される操作信号を受けて、該操作信号に対応する駆動信号を各駆動部に出力することにより各駆動部における駆動の態様を制御する。
【００２３】
上述した空気導出管２２Ｐにおける支持台１１側には、第二流路部材２３に向けて窪む有底箱体の電源収容部２２Ｓが、空気導出管２２Ｐから支持台１１に向けて延びるように形成されている。この電源収容部２２Ｓには、各種駆動部への電源が入力される電力入力部ＰＳが収容される。これに対して、空気導出管２２Ｐにおける支持台１１側のうち、電源収容部２２Ｓの第二流路部材２３側には、電源収容部２２Ｓに向けて窪む第一収容部２２Ｆが形成されている。
【００２４】
上記第一収容部２２Ｆは、図６に示されるように、ファン２０における送風ポート２０ａの全体が該第一収容部２２Ｆ内に収容されるように形成されている。この第一収容部２２Ｆには、相対的に底が深い凹部である第一導入側凹部２２ａが支持台１１側に形成されている。また、この第一収容部２２Ｆには、相対的に底が浅い凹部であって、且つ、上記連結端部Ｐ２に連通する凹部である第一導出側凹部２２ｂが、空気導出管２２Ｐ側に形成されている。そして、相対的に底が深い第一導入側凹部２２ａにファン２０の送風ポート２０ａが収容されている。
【００２５】
次に、空気流路２１のうち、第二流路部材２３について以下に説明する。第二流路部材２３は、図５に示されるように、上述した連結端部Ｐ２及び第一収容部２２Ｆと向い合う板状に形成されている。この第二流路部材２３にて上記係止片２２ｃと向かい合う部位には、係止片２２ｃと嵌合可能な複数の被係止部２３ｃが形成されている。
【００２６】
一方、第二流路部材２３にて、連結端部Ｐ２及び第一収容部２２Ｆと向い合う部位には、第一流路部材２２側とは反対側に窪んだ凹部である第二収容部２３Ｆが形成されている。この第二収容部２３Ｆには、相対的に底が深い凹部である第二導入側凹部２３ａが、第一導入側凹部２２ａと向い合う部位に形成されている。また、この第二収容部２３Ｆには、相対的に底が浅い凹部である第二導出側凹部２３ｂが、第一導出側凹部２２ｂと向かい合う部位に形成されている。
【００２７】
上述した第二導入側凹部２３ａには、図６に示されるように、先の空気導入部１２ａと向い合う貫通孔である通気孔２３ｖが形成されている。そして、上述した被係止部２３ｃに係止片２２ｃが嵌め込まれることによって、第二流路部材２３に形成された通気孔２３ｖの位置とファン２０が有するファン吸気ポート２０ｖとの位置が互いに整合するように、第一導入側凹部２２ａと第二導入側凹部２３ａとの間にファン２０が取り付けられている。また、連結端部Ｐ２の開口縁と第一収容部２２Ｆの開口縁とが第二収容部２３Ｆの開
口縁に当接するように、第二流路部材２３が第一流路部材２２に固定されている。
【００２８】
このような構成によれば、第一流路部材２２と第二流路部材２３とによって構成される空気流路２１が、その流路の断面積に応じて下記三つの流路に区分される。
・第一導入側凹部２２ａと第二導入側凹部２３ａとに囲まれる導入側流路２１ｉ。
【００２９】
・第一導出側凹部２２ｂと第二導出側凹部２３ｂとに囲まれる中間流路２１ｍ。
・空気導出管２２Ｐそのものである導出側流路２１ｂ。
すなわち、導入側流路２１ｉは、空気流路２１のうちで吸気側の端部を構成する流路であって、その吸気側の端部に上記ファン２０が配設された流路である。一方、中間流路２１ｍは、空気流路２１のうちで吸気側と空気導出側との間の流路であって、導入側流路２１ｉや導出側流路２１ｂよりも小さい流路の断面積を有している。他方、導出側流路２１ｂは、空気流路２１のうちで空気導出側の端部を構成する流路であって、その吸気側の端部に上記空気導出部１２ｂが連結された流路である。そして、ファン２０の送風ポート２０ａから空気が送り出されると、送り出された空気流Ａの流速は、導入側流路２１ｉを流れた後に中間流路２１ｍで一旦速くなる。そして、中間流路２１ｍを流れた空気流Ａは、導出側流路２１ｂにてその流速を減速させた後に空気導出部１２ｂから筐体１２の外へ吹き出される。
【００３０】
次に、上記中間流路２１ｍにミストを流入させる構成について図５及び図６を参照して説明する。中間流路２１ｍを構成する第二導出側凹部２３ｂの底壁には、図５に示されるように、該底壁を貫通する矩形孔であるミスト流入孔２３ｈが形成されている。このミスト流入孔２３ｈには、該ミスト流入孔２３ｈにおける空気導出管２２Ｐ側の縁から第一流路部材２２とは反対側に向けて第二導出側凹部２３ｂの底壁の一部が折り曲げられたかたちのガイド片２３ｇが形成されている。
【００３１】
一方、第二流路部材２３において第一流路部材２２とは反対側には、上述したガイド片２３ｇが囲まれるような矩形筒状の包囲壁２３ｗが、該反対側に向けて開口するように凸設されている。この包囲壁２３ｗにおける開口には、該開口が閉じられるようにミスト生成部３０が取り付けられている。すなわち、ミスト生成部３０は、ファン２０の回転によって空気流が形成される空気流路２１の外に配設されている。
【００３２】
ミスト生成部３０における電極部３１には、互いに対向する一対の電極である第１の電極３２と第２の電極３３とが配設されている。第１の電極３２は、放電を行う電極であって、ミスト流入孔２３ｈに向けて突出する針状に形成されている。第２の電極３３は、接地電極あるいは第１の電極とは極性が反対の電位に設定される電極であって、第１の電極３２の先端部側に配置された板状に形成されている。第２の電極３３において第１の電極３２の先端部と向かい合う部位には、貫通孔が形成されている。また、これら第１の電極３２及び第２の電極３３の周囲には、第１の電極３２と第２の電極３３との間に高電圧を印加するための電圧印加回路が形成されている。そして、上記電圧印加回路が駆動されると、第１の電極３２と第２の電極３３との間に高電圧が印加される。
【００３３】
一方、第１の電極３２の基端部には、第１の電極３２の表面温度を所定の温度に冷却するためのペルチェ素子３４が接続されている。ペルチェ素子３４の冷却面は、第１の電極３２に熱的に接触している一方、該ペルチェ素子３４の放熱面は、第１の電極３２側とは反対側に配置されている。また、ペルチェ素子３４には、該ペルチェ素子３４を駆動するための端子３４ａが取り付けられている。ペルチェ素子３４の放熱面からの放熱は、該放熱面に接続された端子３４ａを通じて行われる。このような構成からなるミスト生成部３０によれば、放熱面に放熱フィンを取り付ける必要がないため、ミスト生成部３０のサイズを小さくすることが可能である。
【００３４】
そして、空気導出部１２ｂからミストを供給するための操作信号が入力されると、第１の電極３２の表面が冷却されるべく、ペルチェ素子３４に駆動電流が供給されて第１の電極３２が冷却される。これによって、第１の電極３２の表面には、空気中の水分が結露する。次いで、この状態から、第１の電極３２と第２の電極３３の間に高電圧が印加されると、第１の電極３２の周辺に放電が生じる。そして、第１の電極３２の表面に結露した水がこの放電によりレイリー分裂を起こして静電霧化する。すなわち、第１の電極３２と第２の電極３３との間の空間には、静電霧化方式にてミストが生成される。なお、ここで生成されるミストとは、直径が数ｎｍ〜数百ｎｍの大きさのミストであって、人体の肌における角質層表面の隙間に浸透することによって肌に潤いとハリを与える効果を発現するものである。
【００３５】
また、空気流路２１に空気流が形成されるべく、ファン２０に所定の駆動電圧が印加されて、図６に示されるように、空気流路２１に空気流Ａが形成される。一方、ミスト生成部３０で生成されたミストは、放電時に印加される電圧によって、少なからず第１の電極３２から第２の電極３３に向けた速度成分Ｂを有することになる。そして、こうした速度成分Ｂを有したミストは、ガイド片２３ｇに案内されるようにミスト流入孔２３ｈを通過して中間流路２１ｍへ流入する。中間流路２１ｍでは、上述したように空気流の流速が相対的に速くなるため、ミスト流入孔２３ｈを通過したミストが該空気流によって空気導出部１２ｂまで効果的に運ばれることとなる。このように、ミストは、ファン２０の下流で、ファン２０による空気流Ａと混合される。そして、ミストを含んだ空気流Ａは、空気導出部１２ｂから美容装置１０の外へ放出される。
【００３６】
このとき、ファン２０によって形成される空気流Ａが通る空気流路２１の外にミスト生成部３０が配設されているため、ミスト生成部３０における第１の電極３２と第２の電極３３との間に空気流Ａが直接流れ込むことがない。したがって、第１の電極３２と第２の電極３３との間における空気の流れが安定するため、ミストの生成量を安定させることができる。また、空気流路２１の内部における空気の流れをミスト生成部３０で遮ることがないため、空気流路２１の内部においても乱流等の発生が抑制されて空気の流れが安定する。これにより、空気導出部１２ｂから放出されるミストの供給量の安定性を高めることができる。
【００３７】
なお、ミスト生成部３０によって生成されたミストの他、包囲壁２３ｗ内の空気も中間流路２１ｍの空気流Ａによって中間流路２１ｍへ流入する。一方、包囲壁２３ｗとミスト生成部３０との接続部分等からも包囲壁２３ｗ内には少なからず空気が流入し続ける。それゆえに、包囲壁２３ｗ内の空気が中間流路２１ｍへ流入し続けるものの、ミスト生成部３０と中間流路２１ｍとの圧力差は概ね安定することとなる。
【００３８】
次に、第１実施形態における美容装置１０の電気的構成について図７を参照しながら説明する。
図７に示されるように、美容装置１０は、外部電源１６が接続されるコネクタ１１ａを備えた電力入力部ＰＳと、美容装置１０を統括制御する制御部ＣＳとを有している。電力入力部ＰＳは、上記コネクタ１１ａの下流側に配置される整流回路４１と、整流回路４１の下流側に配置されるスイッチング回路４２とを有している。整流回路４１は、美容装置１０から外部電源１６へ電流が流れること防止する。スイッチング回路４２は、例えば機械的なスイッチやトランジスタなどで構成され、制御部ＣＳによってＯＮ／ＯＦＦ制御がなされる。スイッチング回路４２は、通常時はＯＮ状態に制御されて、電極部３１、ペルチェ素子３４、ファン２０等の各負荷部への電力供給が可能な状態となっているが、所定の条件が満たされるとＯＦＦ状態に制御されて各駆動部への電力供給が遮断される。電力入力部ＰＳは、外部電源１６から入力される電力を、図示しない変圧回路で所定の電圧に
変圧したうえで制御部ＣＳに供給する。
【００３９】
制御部ＣＳは、電力入力部ＰＳから電力供給を受けて動作するとともに、図示しないＣＰＵ、ＲＯＭ及びＲＡＭで構成されている。ＲＯＭには、ＣＰＵが実行する各種制御プログラムや各種データ、例えば上記所定電圧を印加させたときにおける電極部３１、ペルチェ素子３４、ファン２０等の各負荷部における消費電力が個別に規定された消費電力データ等が記憶されている。なお、ペルチェ素子３４は、電力効率が低いため負荷部の中で最も消費電力が大きい。一方、ＲＡＭには、ＣＰＵによる演算結果及び処理結果である各種データなどが一時的に記憶される。制御部ＣＳは、各部からの入力信号に応答して、ＲＯＭに記憶された制御プログラムに基づく各種処理を実行する。
【００４０】
制御部ＣＳには、図示しない入力側インターフェースを介して、電源スイッチ１７が電気的に接続されている。電源スイッチ１７は、使用者によってＯＮ操作あるいはＯＦＦ操作される。制御部ＣＳは、電源スイッチ１７がＯＮ操作されて該電源スイッチ１７からＯＮ操作に基づく操作信号であるＯＮ信号が入力されると美容装置１０を始動させる。一方、電源スイッチ１７がＯＦＦ操作されて該電源スイッチ１７からＯＦＦ操作に基づく操作信号であるＯＦＦ信号が入力されると美容装置１０を停止させる。
【００４１】
制御部ＣＳには、図示しない出力側インターフェースを介して、ペルチェ素子３４が電気的に接続されている。制御部ＣＳは、ペルチェ素子３４をＯＮ／ＯＦＦ制御することによって第１の電極３２の温度を制御し、該第１の電極３２への液体供給量を制御する。また制御部ＣＳには、ペルチェ素子３４の異常を検出する異常検出センサ４５が電気的に接続されている。異常検出センサ４５は、ペルチェ素子３４の印加電圧値、電流値などを所定の周期で検出し、その検出した値が予め定めた範囲外である場合に、ペルチェ素子３４に異常が発生していることを示す検出信号を制御部ＣＳに出力する。
【００４２】
制御部ＣＳには、図示しない出力側インターフェースを介して、電極部３１が電気的に接続されている。制御部ＣＳは、電極部３１をＯＮ／ＯＦＦ制御することによってミスト発生量を制御する。また制御部ＣＳには、電極部３１の異常を検出する異常検出センサ４６が電気的に接続されている。異常検出センサ４６は、電極部３１の印加電圧値、電流値などを所定の周期で検出し、その検出した値が予め定めた範囲外である場合に、電極部３１に異常が発生していることを示す検出信号を制御部ＣＳに出力する。
【００４３】
制御部ＣＳには、図示しない出力側インターフェースを介して、ファン２０が電気的に接続されている。制御部ＣＳは、ファン２０をＯＮ／ＯＦＦ制御することによって空気流路２１を流れる空気流Ａの流量を制御する。また制御部ＣＳには、ファン２０の異常を検出する異常検出センサ４７が電気的に接続されている。異常検出センサ４７は、ファン２０の印加電圧値、電流値、回転数、温度などを所定の周期で検出し、その検出した値が予め定めた範囲外である場合に、ファン２０に異常が発生していることを示す検出信号を制御部ＣＳに出力する。
【００４４】
制御部ＣＳには、図示しない出力側インターフェースを介して、報知部４８が電気的に接続されている。報知部４８は、例えば、所定の効果音を発する発音部や図示しない表示パネルなどの表示部で構成されており、これらを通じて美容装置１０の動作状態を使用者に通知する。制御部ＣＳは、上記異常検出センサ４５〜４７のいずれか１つから検出信号が入力された場合など、必要な場合にのみ報知部４８を駆動し、異常発生を示す効果音を発したり異常発生を示す表示をしたりして、使用者に対して美容装置１０に異常が発生していることを通知する。
【００４５】
制御部ＣＳには、スイッチング回路５１が電気的に接続されている。スイッチング回路
５１は、例えば機械的なスイッチやトランジスタなどで構成されており、制御部ＣＳとペルチェ素子３４との間に介在されて制御部ＣＳによってＯＮ／ＯＦＦ制御される。スイッチング回路５１は、通常時はＯＮ状態に制御されてペルチェ素子３４へ電力供給が可能な状態となっているが、制御部ＣＳからの制御信号を受けてＯＦＦ状態に制御されるとペルチェ素子３４への電力供給を遮断する。
【００４６】
制御部ＣＳには、スイッチング回路５２が電気的に接続されている。スイッチング回路５２は、例えば機械的なスイッチやトランジスタなどで構成されており、制御部ＣＳと電極部３１との間に介在されて制御部ＣＳによってＯＮ／ＯＦＦ制御される。スイッチング回路５２は、通常時はＯＮ状態に制御されて電極部３１への電力供給が可能な状態となっているが、制御部ＣＳからの制御信号を受けてＯＦＦ状態に制御されると電極部３１への電力供給を遮断する。
【００４７】
制御部ＣＳには、スイッチング回路５３が電気的に接続されている。スイッチング回路５３は、例えば機械的なスイッチやトランジスタなどで構成されており、制御部ＣＳとファン２０との間に介在されて制御部ＣＳによってＯＮ／ＯＦＦ制御される。スイッチング回路５３は、通常時はＯＮ状態に制御されてファン２０への電力供給が可能な状態となっているが、制御部ＣＳからの制御信号を受けてＯＦＦ状態に制御されるとファン２０への電力供給を遮断する。
【００４８】
次に、上述した構成の美容装置１０において実行される各種処理について説明する。まず、美容装置１０の基本的な運転の流れについて図８を参照して説明する。
図８に示されるように、美容装置１０に外部電源１６が接続されると（ステップＳ１０）該外部電源１６の電力供給能力、すなわち外部電源１６から入力される電圧や外部電源１６の許容電流値を把握する電力供給能力把握処理が実行される（ステップＳ２０）。外部電源１６の電力供給能力が把握されると、その把握した電力供給能力で美容装置１０を運転させるだけの電力供給能力があるか否かの判断がなされる（ステップＳ３０）。
【００４９】
外部電源１６がその電力を供給可能であると判断される場合（ステップＳ３０：ＹＥＳ）、美容装置１０は待機状態に移行される（ステップＳ４０）。この待機状態において電源スイッチ１７のＯＮ操作がなされると（ステップＳ５０）、装置の始動運転から定常運転までの処理である始動処理が実行される（ステップＳ６０）。始動処理（ステップＳ６０）が終了すると、ＲＡＭの所定領域に格納した外部電源１６の電力供給能力とＲＯＭに記憶されている消費電力データとに基づいて、該電力供給能力を超えないようにペルチェ素子３４、電極部３１、ファン２０がＯＮ／ＯＦＦ制御される定常運転に移行する（ステップＳ７０）。
【００５０】
やがて電源スイッチ１７のＯＦＦ操作がなされると（ステップＳ８０）、美容装置１０の運転を停止させる停止処理が実行される（ステップＳ９０）。この停止処理では、ペルチェ素子３４、電極部３１、ファン２０等への電力供給が停止されることで美容装置１０を停止させる。
【００５１】
一方、上記ステップＳ３０において、外部電源１６の電力供給能力では美容装置１０を動作させるのに必要な電力が供給できないと判断されると（ステップＳ３０：ＮＯ）、報知部４８が駆動されて所定の効果音を発するとともに表示部に所定の表示がなされることでその旨を使用者に通知し、一連の処理を終了させる（ステップＳ１００）。
【００５２】
以上が美容装置１０の基本的な運転の流れであるが、これらの処理の他に美容装置１０は、電源スイッチ１７のＯＮ操作がなされると、後述する異常発生処理を並行して実行する。
【００５３】
次に、上述した各種処理について図９〜図１３を参照して説明する。なお、これらの各種処理は、制御部ＣＳのＲＯＭに記憶させた制御プログラムに基づいて実行される。
まず、上述した電力供給能力把握処理（ステップＳ２０）について説明する。この電力供給能力把握処理（ステップＳ２０）は、制御部ＣＳに対して外部電源１６の電力供給能力を把握させるための処理である。外部電源１６の電力供給能力は、例えば以下のようにして把握することが可能である。
【００５４】
まず、制御部ＣＳが外部電源１６から入力される電圧を測定可能に構成しておく。そして外部電源１６が接続されると制御部ＣＳは、最も消費電力の大きいペルチェ素子３４を試験的に駆動するとともに外部電源１６から入力される電圧を測定する。このとき、外部電源１６に所定の電圧降下が確認されることで外部電源１６の電力供給能力を把握することができる。制御部ＣＳは、こうして把握した外部電源１６の電力供給能力をＲＡＭの所定領域に格納する。なお、本実施形態では、ＵＳＢ電源であるため、電力供給能力として供給電圧５Ｖ、許容電流値５００ｍＡを示すデータが格納される。
【００５５】
次に、電源スイッチ１７がＯＮ操作されることによって実行される始動処理（ステップＳ６０）について図９及び図１０を参照して説明する。
ここで、電極部３１、ペルチェ素子３４などには、その始動時に定常運転時よりも大きな電流である突入電流が発生する。そのため、図９に示されるように、電極部３１及びペルチェ素子３４を同時期に始動させるとなれば、それら電極部３１及びペルチェ素子３４への突入電流が同時期に発生することになり外部電源１６の電力供給能力（許容電流値）を超えてしまう虞がある。そこで本実施形態では、ＲＯＭに記憶された制御プログラムに基づいて、図１０に示されるような手順で始動処理（ステップＳ６０）が実行される。
【００５６】
図１０に示されるように、電源スイッチ１７のＯＮ操作がなされると、まず、ファン２０に対する電力供給が開始されて、空気導入部１２ａから空気導出部１２ｂへと向かう空気流Ａが空気流路２１形成される（ステップＳ６１）。次に、ファン２０が定常運転となるのに十分な時間Ｔ１だけ美容装置１０を待機させる（ステップＳ６２）。そしてファン２０の駆動から時間Ｔ１経過後、ペルチェ素子３４に対する電力供給が開始されて第１の電極３２の冷却される（ステップＳ６３）。すなわち、駆動電流の安定する定常運転にファン２０を移行させてからペルチェ素子３４に電力供給が開始される。これにより、ファン２０及びペルチェ素子３４への突入電流が同時期に発生することを防止することができる。
【００５７】
続いて、ステップＳ６２と同様に、ペルチェ素子３４の駆動電流が安定するとともに第１の電極３２に液体が供給されるのに十分な時間Ｔ２だけ美容装置１０を待機させる（ステップＳ６４）。そしてペルチェ素子３４の駆動から時間Ｔ２経過後、電極部３１に対する電力供給が開始される（ステップＳ６５）。これにより、第１の電極３２に供給された液体がレイリー分裂を起こし、ナノサイズのミストが生成される。
【００５８】
すなわち、図１１に示されるように、駆動電流の安定する定常運転にペルチェ素子３４を移行させてから電極部３１に電極供給が開始される。これにより、ファン２０、ペルチェ素子３４、電極部３１への電力供給が異なるタイミングで開始されることから、これら各負荷部への突入電流が同時期に発生することを防止することができる。
【００５９】
また、上述したステップＳ６４においては、ペルチェ素子３４及び電極部３１への突入電流が同時期に発生することを防止するだけでなく、待機中に第１の電極３２の冷却を進行させて、該第１の電極３２に対して十分な水分を供給することも可能になる。そして次のステップＳ６５においては、電極部３１の空放電が抑制されることから、該電極部３１
の寿命を延すこともできる。
【００６０】
こうした始動処理（ステップＳ６０）が実行される美容装置１０においては、外部電源１６の電力供給能力を超えることなく美容装置１０を定常運転に移行させることができる。また、ファン２０、ペルチェ素子３４、電極部３１への電力供給を異なるタイミングで開始する際に最初にファン２０に電力供給がなされることで、使用者に対して聴覚を通じて美容装置１０が始動したことを認識させることもできる。
【００６１】
次に、電源スイッチ１７のＯＮ操作後に並行して実行される異常発生処理について図１２及び図１３を参照しながら説明する。
上述したように、電源スイッチ１７がＯＮ操作された美容装置１０においては、上述した基本的な流れの他、異常発生処理が並行して実行される。図１２に示されるように、この異常発生処理においては、電源スイッチ１７がＯＮ操作されると、異常検出センサ４５〜４７が駆動されて美容装置１０に異常が発生していないか否かを監視する（ステップＳ１１１）。そして、異常検出センサ４５〜４７のいずれか１つから異常を検出した検出信号が制御部ＣＳに入力されると、消費電力の最も大きいペルチェ素子３４、及び、検出信号を出力した異常検出センサに対応する負荷部のスイッチング回路がＯＦＦ制御されて電力供給が停止される（ステップＳ１１２）。
【００６２】
ここで、ペルチェ素子３４を含めた全ての負荷部に電力が供給されている状態で報知部４８を駆動した場合には、報知部４８を駆動するだけの電力が新たに必要となるため、それによって外部電源１６の電力供給能力を超えてしまう虞がある。しかし、異常が検出されたときに負荷部の中でも最も消費電力の大きいペルチェ素子３４のスイッチング回路５１をＯＦＦ制御することにより、外部電源１６の電力供給能力を超えることなく、他の機器に供給する電力を確保することができる。
【００６３】
そして制御部ＣＳは、ペルチェ素子３４に供給されていた電力を用いて報知部４８を駆動して異常を示す効果音を発音部から発せさせるとともにその旨を表示部に表示させる。すなわち制御部ＣＳは、外部電源１６の電力供給能力を超えることなく、装置に異常が発生したことを使用者に通知する（ステップＳ１１３）。こうして美容装置１０の異常発生処理が終了する。
【００６４】
また、この異常発生処理においてファン２０は、それ自体に異常が発生しなければ駆動され続けることになる。すなわち、図１３に示されるように、例えば電極部３１に異常が生じた場合には、ファン２０には電力が供給され続ける一方、ペルチェ素子３４及び電極部３１への電力供給が停止されて報知部４８への電力供給が開始される。こうした構成によれば、ペルチェ素子３４及びスイッチング回路５１の両方に異常が生じてペルチェ素子３４に電力が供給され続けてしまう場合には、ペルチェ素子３４がかなり高温になる虞があるが、ファン２０が形成する空気流Ａによってペルチェ素子３４を冷却することが可能である。また、電極部３１及びスイッチング回路５２に異常が生じて電極部３１に電力が供給され続けてしまう場合には、放電によって生成される帯電微粒子が装置内に滞留してしまう虞があるが、ファン２０が形成する空気流Ａに乗せて該帯電微粒子を美容装置１０の外側に放出することができる。
【００６５】
以上説明したように、第１実施形態における美容装置１０によれば、以下のような効果を得ることができる。
（１）上記構成の美容装置１０では、電流供給能力把握処理（ステップＳ２０）において外部電源１６の電力供給能力が把握され、その把握した電力供給能力を超えないように各負荷部がＯＮ／ＯＦＦ制御される。それゆえに、電力供給能力が異なる外部電源であっても、その電力供給能力の範囲内で美容装置１０を動作させることができる。
【００６６】
（２）上記構成の美容装置１０では、ペルチェ素子３４、電極部３１、ファン２０がそれぞれ異なるタイミングで始動されることから、始動時に発生する突入電流の発生時期をずらすことができる。それゆえに、美容装置１０の始動時に外部電源１６に要求される電流値を電力供給能力の範囲内に抑えることができる。
【００６７】
（３）上記構成の美容装置１０では、異常検出センサ４５〜４７からの入力信号に基づいて報知部４８が駆動されることから、装置に異常が発生したことを使用者に通知することができる。これにより使用者は、電源スイッチのＯＦＦ操作などの安全対策をいち早く講じることができる。
【００６８】
（４）上記構成の美容装置１０において報知部４８は、制御部ＣＳによって装置に異常が発生していると判断される場合にのみ駆動される。こうした構成によれば、異常発生時以外は報知部４８に電力が供給されないことから、報知部４８を駆動するために必要な電力の分だけ電極部３１やペルチェ素子３４に供給される電力を高めることができる。すなわち、外部電源１６の電力供給能力をその上限付近までミストの生成に用いることができる。それゆえに、美容装置１０の静電霧化に関する性能を高めることができる。
【００６９】
（５）上記構成の美容装置１０の異常発生処理では、最も消費電力の大きいペルチェ素子３４のスイッチング回路５１がＯＦＦ制御されたうえで報知部４８が駆動される。こうした構成によれば、報知部４８を駆動するための電力を外部電源１６の電力供給能力の範囲内で確保したうえで報知部４８を駆動することができる。
【００７０】
（６）上記構成の美容装置１０のペルチェ素子３４、電極部３１、ファン２０には、制御部ＣＳによってＯＮ／ＯＦＦ制御されるスイッチング回路５１〜５３を通じて電力供給がなされる。そして、異常発生処理では、異常部に対応するスイッチング回路がＯＦＦ制御される。これにより、異常部に起因して美容装置１０に新たな異常が生じることを防止することができる。
【００７１】
（７）美容装置１０ではその電位が外部電源１６よりも一時的に高くなることがある。その場合、美容装置１０から外部電源１６へと電流が流れ込んでしまうことで外部電源１６に故障や誤作動といった不具合が生じてしまう虞がある。例えば、本実施形態のようにコンピューター１５のＵＳＢ電源を外部電源１６としている場合には、コンピューター１５のハードディスクのみならず他のＵＳＢポートに接続された機器に不具合が生じる虞もある。この点、上記構成の美容装置１０では、電力入力部ＰＳに整流回路４１が設けられていることで美容装置１０から外部電源１６に電流が流れ込むことを防止することができる。これにより、故障や誤作動などといった外部電源１６の不具合を防止することができる。
（第２実施形態）
次に、本発明にかかるミスト発生装置を具体化した第２実施形態について図１４〜図１６を参照して説明する。なお、第１実施形態では、制御部ＣＳとスイッチング回路５１〜５３とが電気的に直接接続されていたが、第２実施形態では制御部ＣＳとスイッチング回路５１〜５３とが蓄電部５５を介して電気的に接続されている。以下では、蓄電部５５に関して詳細に説明するとともに、第１実施形態と同じ構成ついては第１実施形態と同様の符号を付してその詳細な説明は省略する。
【００７２】
図１４に示されるように、第２実施形態の美容装置１０には、蓄電部５５が設けられている。蓄電部５５は、例えばコンデンサーなどで構成されており、外部電源１６から供給される電力を蓄電する。すなわち、ペルチェ素子３４、電極部３１、ファン２０等の各負荷部には、蓄電部５５に一旦蓄電された電力が供給される。蓄電部５５から各負荷部に供
給される電力は、蓄電部５５を介すことなく各負荷部に供給される電力に比べて電気的なノイズが少ない。そのため、各負荷部に蓄電部５５の電力が供給される第２実施形態の美容装置１０においては、各負荷部を安定して動作させることができる。また、外部電源１６の電力供給能力を超えるような電力が負荷部に供給されるとしても、その電力は蓄電部５５から供給される電力である。すなわち、外部電源１６にとっては蓄電部５５がバッファーとして機能することから、負荷部に供給される電力が外部電源１６に与える電気的な影響を緩和することができる。
【００７３】
なお、蓄電部５５において、充電時間をｔ、そのとき蓄電部５５に流れ込む電流値をＩ（ｔ）、電力入力部ＰＳと蓄電部５５の電位差をＥ、外部電源１６から蓄電部５５までの電気的な抵抗をＲ、蓄電部５５の静電容量をＣとすると下記の式（１）で示される。
【００７４】
Ｉ（ｔ）＝Ｅ／Ｒ×ｅｘｐ（（−１／ＲＣ）ｔ）…（１）
この式（１）からも明らかなように、外部電源１６と蓄電部５５との電位差Ｅが大きいほど、すなわち蓄電部５５の電位が低いほど蓄電部５５には大きな電流が流れることになる。また外部電源１６から蓄電部５５までの電気的な抵抗が小さいほど蓄電部５５には大きな電流が流れ込み充電時間が短くなることになる。そのため、図１５に示されるように、蓄電開始時の蓄電部５５に外部電源１６の電力供給能力を超える電流が流れ込む虞がある。これは、電気的な抵抗が大きい蓄電経路を通じて蓄電部５５を蓄電することで解消可能であるが、蓄電部５５に流れ込む電流が小さくなるため、蓄電部５５が十分に蓄電されるまでに多大な時間を要することになる。
【００７５】
そこでこの美容装置１０においては、図１４に示されるように、電気的な抵抗が相対的に大きい第１蓄電回路５６と電気的な抵抗が相対的に小さい第２蓄電回路５７とで蓄電経路が構成されている。この第１蓄電回路５６の電気的な抵抗は、たとえ蓄電部５５の電位が低い状態で蓄電が開始されても、美容装置１０に適用可能な全ての外部電源１６の電力供給能力を超えない電流が蓄電部５５に流れ込む程度のものである。そして制御部ＣＳは、ＲＯＭに記憶した制御プログラムに基づき、蓄電経路として第１蓄電回路５６あるいは第２蓄電回路５７を選択する。
【００７６】
詳述すると、図１６に示されるように、制御部ＣＳは、電力供給能力把握処理（ステップＳ２０）で把握された外部電源１６の供給能力が美容装置１０を運転させるために必要な電力が供給可能であると判断される（ステップＳ３０：ＹＥＳ）と、電気的な抵抗が相対的に大きい第１蓄電回路５６を選択して蓄電部５５の蓄電を開始する。これにより、たとえ蓄電開始時に蓄電部５５の電位が低い状態であったとしても、外部電源１６の電力供給能力を超える電流を蓄電部５５が要求することがない。
【００７７】
制御部ＣＳは、蓄電部５５の蓄電を開始してから時間Ｔ３経過後、蓄電経路を第１蓄電回路５６から第２蓄電回路５７へと切り替える。この時間Ｔ３とは、蓄電経路を電気的な抵抗の低い第２蓄電回路５７に切り替えたときに蓄電部５５に流れ込む電流が外部電源１６の電力供給能力内となる状態まで蓄電部５５が第１蓄電回路５６を通じて蓄電されるまでに要する時間である。こうした構成によれば、充電経路が第２蓄電回路５７に切り替えられると電気的な抵抗が小さくなるため蓄電部５５に流れ込む電流が大きくなるものの、外部電源１６の電力供給能力を超える電流が蓄電部５５に流れ込むことを抑えられる。そして制御部ＣＳは、コネクタ１１ａから外部電源１６が外されるまで第２蓄電回路５７を用いて蓄電部５５を蓄電し続ける。なお、こうした制御部ＣＳの蓄電経路の選択は、美容装置１０が待機中であるか稼動中であるかに関わらず実行される。
【００７８】
以上説明したように第２実施形態の美容装置１０によれば、第１実施形態に記載した（１）〜（７）に記載した効果に加えて以下に示す効果を得ることができる。
（８）上記構成の美容装置１０では、各負荷部に蓄電部５５から電力が供給される。これにより、各負荷部に供給される電力を安定させることができる。
【００７９】
（９）また、外部電源１６にとっては蓄電部５５がバッファーとして機能することから、負荷部で消費される電力に起因する外部電源１６への電気的な影響を緩和することができる。
【００８０】
（１０）上記構成の美容装置１０では、電気的な抵抗が相対的に大きい第１蓄電回路５６と電気的な抵抗が相対的に小さい第２蓄電回路５７とで蓄電経路が構成され、制御部ＣＳによって蓄電経路が選択される。これにより、蓄電部５５の電位が低い状態であっても、外部電源１６の電力供給能力を超える電流が蓄電部５５に流れ込むことがない。
【００８１】
（１１）そして、蓄電開始から時間Ｔ３経過後に第２蓄電回路５７に切り替えられることから、第１蓄電回路５６のみで蓄電がなされる場合に比べて、蓄電部５５が十分に蓄電されるまでに要する時間を短縮することができる。
【００８２】
なお、上記実施形態は以下のように変更して実施することができる。
・上記第１及び第２実施形態において、スイッチング回路５１〜５３は、異常発生時に負荷部への電力供給を遮断できるものであればよく、例えば電力ヒューズなどで構成されていてもよい。
【００８３】
・上記第１及び第２実施形態において、スイッチング回路５１〜５３が割愛される構成であってもよい。こうした構成においては、異常発生処理で例えばペルチェ素子３４への電力供給を停止する際には、制御部ＣＳの制御によりペルチェ素子３４の駆動を直接停止させるとよい。
【００８４】
・上記第１及び第２実施形態の電力入力部ＰＳにおいて、整流回路４１が割愛されてもよい。この際、美容装置１０の電位が外部電源１６よりも高くなることを抑える対策が必要となる。
【００８５】
・上記第１及び第２実施形態の異常発生処理において、異常発生時には、ペルチェ素子３４及び電極部３１への電力供給が停止されてもよい。また、電極部３１、ペルチェ素子３４、ファン２０、これら全てへの電力供給を停止して、報知部４８のみに電力供給がなされる構成であってもよい。こうした構成によれば、異常発生時には電極部３１への電力供給がなされることがないことから、第１の電極３２に液体が結露していない状態での放電、すなわち空放電を抑えることができる。これにより電極部３１の寿命を延すことができる。
【００８６】
・また、報知部４８が割愛される構成であってもよい。こうした構成における異常発生処理では、各スイッチング回路５１〜５３、あるいはスイッチング回路４２をＯＦＦ制御することにより、各負荷部への電力供給を一斉に停止させるとよい。
【００８７】
・上記第１及び第２実施形態の始動処理（ステップＳ６０）においては、ペルチェ素子３４の始動から、ペルチェ素子３４によって第１の電極３２に液体が供給されるのに十分な時間Ｔ１経過後に電極部３１を始動させた。これに限らず電極部３１を始動させるタイミングは、例えば、第１の電極３２の温度を検出する検出センサを制御部ＣＳに電気的に接続する。そしてその検出センサからの検出信号に基づいて、第１の電極３２の温度が所定の温度を下回ったときであってもよい。
【００８８】
・また例えば、第１の電極３２付近の温度及び湿度を検出する検出センサを制御部ＣＳ
に電気的に接続する。そしてその検出センサからの検出信号に基づいて、第１の電極３２付近の温度及び湿度が所定値を満たしてから所定時間経過したときであってもよい。
【００８９】
・上記第１及び第２実施形態の始動処理（ステップＳ６０）においては、ファン２０、ペルチェ素子３４、電極部３１の順で始動させたが、始動させる順序はこれに限られるものではない。例えば、ペルチェ素子３４、電極部３１、ファン２０という順序にしてもよい。この順序であれば、電極部３１付近におけるミストが十分な濃度に到達してからミストを装置の外側へ放出させることができる。
【００９０】
・上記第１及び第２実施形態において、電極部３１、ペルチェ素子３４、ファン２０の突入電流の合計が外部電源の電力供給能力を超えなければ、これらを同時期に始動させてもよい。
【００９１】
・上記第２実施形態において蓄電経路は、第１蓄電回路５６と第２蓄電回路５７とで構成されている。これに限らず、蓄電経路は、第１及び第２蓄電回路５６，５７に加えて、例えば第２蓄電回路５７よりも電気的な抵抗の小さい第３蓄電回路をさらに有していてもよい。こうした構成であれば、制御部ＣＳの選択によって、蓄電部５５を十分に蓄電するまでの時間をさらに短縮することが可能になる。
【００９２】
・上記第２実施形態において電極部３１、ペルチェ素子３４、ファン２０は、共通する１つの蓄電部５５から電力が供給されている。これを変更して、電極部３１、ペルチェ素子３４、ファン２０の各々が互いに異なる蓄電部から電力が供給される構成であってもよい。
【００９３】
・上記第１及び第２実施形態の電力供給能力把握処理（ステップＳ２０）では、外部電源の電力供給能力が把握されればよく、その把握方法は限定されるものではない。例えば、次のようにして外部電源の電力供給能力を把握してもよい。
【００９４】
すなわち、美容装置１０に接続可能な外部電源、例えば車のシガーソケット、ＡＣアダプタ、電池等の各々に対応するコネクタを電力入力部ＰＳに設ける。ＲＯＭには、外部電源が接続されるコネクタと各外部電源の電力供給能力とを関連付けた外部電源データを記憶させる。そして制御部ＣＳに各コネクタを監視させ、外部電源が接続されたコネクタと上記外部電源データとによって、外部電源の電力供給能力を把握させてもよい。
【００９５】
・上記実施形態では、第１の電極３２を冷却するペルチェ素子で液体供給部を構成した。これに限らず、液体供給部は、タンク内に貯留された液体をポンプや配管等を用いて電極部３１に供給するような構成であってもよい。
【符号の説明】
【００９６】
ＣＳ…電力制御部としての制御部、ＰＳ…電力入力部、１０…美容装置、１２ａ…空気導入部、１２ｂ…空気導出部、１６…外部電源、２０…送風部としてのファン、２１…空気流路、３０…ミスト生成部、３１…電極部、３４…ペルチェ素子、４１…逆流防止回路としての整流回路、４５，４６，４７…検知部としての異常検出センサ、４８…報知部、４２，５１，５２，５３…電力供給遮断回路としてのスイッチング回路、５５…蓄電部、５６…第１蓄電回路、５７…第２蓄電回路。
【図１】
2012085960.tif 000003
【図２】
2012085960.tif 000004
【図３】
2012085960.tif 000005
【図４】
2012085960.tif 000006
【図５】
2012085960.tif 000007
【図６】
2012085960.tif 000008
【図７】
2012085960.tif 000009
【図８】
2012085960.tif 000010
【図９】
2012085960.tif 000011
【図１０】
2012085960.tif 000012
【図１１】
2012085960.tif 000013
【図１２】
2012085960.tif 000014
【図１３】
2012085960.tif 000015
【図１４】
2012085960.tif 000016
【図１５】
2012085960.tif 000017
【図１６】
2012085960.tif 000018